(57)【要約】  ベース（１０２）と、複数の選択的に固定できるモジュール方式のマスト・ボディ（１０４）と、アンテナ・マウント（１０６）とを含むアンテナ・マスト・システム（１００）。ベースはある基準に対して整列され、システムの各部分はベースに対して整列されて正確で再現可能なアンテナ定位システムになっている。アンテナ取付装置（１０６）はアンテナ・マウント（１３８）と、アンテナ・マウントに回動可能に取り付けられて第一の軸（１６０）のまわりで回動する中間部材（１５８）と、中間部材（１５８）に回動可能に取り付けられて第一の軸と実質的に平行な第二の軸（１６４）のまわりで回動するアンテナ・ブラケット（１６２）を備える。制御システムがこのシステムの作動を制御するために用いられる。
2013507806.tif 000002
【特許請求の範囲】
【請求項１】
移動電話通信用アンテナ取付装置であって、
アンテナ・マウントと、
アンテナ・マウントに回動可能に取り付けられて第一の軸のまわりで回動する中間部材と、
中間部材に回動可能に取り付けられて第一の軸と実質的に平行な第二の軸のまわりで回動するアンテナ・ブラケットと、
を含む移動電話通信用アンテナ取付装置。
【請求項２】
アンテナ・マウントに対して第一の軸のまわりで中間部材を回動させるように構成された第一のアクチュエータと、
中間部材に対して第二の軸のまわりでアンテナ・ブラケットを回動させるように構成された第二のアクチュエータと、
を含む請求項１に記載の移動電話通信用アンテナ取付装置。
【請求項３】
第一のアクチュエータは第一の軸に対して直角方向に向いた回転出力シャフトを含み、装置は回転出力シャフトと中間部材の間に駆動力を回転出力シャフトから中間部材に伝達するギアーボックスを含むことを特徴とする請求項２に記載の移動電話通信用アンテナ取付装置。
【請求項４】
第二のアクチュエータは第二の軸に対して直角方向に向いた回転出力シャフトを含み、装置は回転出力シャフトとアンテナの間に駆動力を回転出力シャフトからアンテナ・ブラケットに伝達するギアーボックスを含むことを特徴とする請求項２又は３に記載の移動電話通信用アンテナ取付装置。
【請求項５】
ギアーボックスはウオームギアを備え、ウオームギアは回転出力シャフトに結合されて、中間部材及び／又はアンテナ・ブラケットに結合された傘歯車を駆動することを特徴とする請求項３又は４に記載の移動電話通信用アンテナ取付装置。
【請求項６】
アクチュエータがステッピング・モータである請求項２〜５の何れか一項に記載の移動電話通信用アンテナ取付装置。
【請求項７】
中間部材及び／又はアンテナ・ブラケットの角度位置を表す信号を提供するように配置された光学的エンコーダを含む請求項６に記載の移動電話通信用アンテナ取付装置。
【請求項８】
光学的エンコーダからの出力に基づいてアクチュエータを用いてアンテナ・ブラケットの位置を調整するように構成された制御システムを含む請求項７に記載の移動電話通信用アンテナ取付装置。
【請求項９】
中間部材及び／又はアンテナ・ブラケットの角度位置を表す信号を提供するように配置された光学的ポテンショメータを含む請求項１に記載の移動電話通信用アンテナ取付装置。
【請求項１０】
信号がディスプレーにリンクされて技能員がアンテナ・ブラケットを手動で定位させることを可能にすることを特徴とする請求項９に記載の移動電話通信用アンテナ取付装置。
【請求項１１】
アンテナ・マウントに対する第一の軸のまわりでの中間部材の相対運動を選択的に禁止するように構成された第一の固定機構、及び、中間部材に対する第二の軸のまわりでのアンテナ・ブラケットの相対運動を選択的に禁止するように構成された第二の固定機構を含む請求項９又は１０に記載の移動電話通信用アンテナ取付装置。
【請求項１２】
アンテナ・ブラケットに取り付けられたアンテナを含む請求項１〜１１の何れか一項に記載の移動電話通信用アンテナ取付装置。
【請求項１３】
中心軸のまわりで１２０度の間隔をあけた３つのアンテナ・マウントを含み、各アンテナ・マウントが請求項１〜１２の何れか一項に記載の移動電話通信用アンテナ取付装置の一部であることを特徴とする移動電話通信用アンテナ取付システム。
【請求項１４】
アンテナ・ブラケットの各々が＋／−６０度という移動範囲を有することを特徴とする請求項１３に記載の移動電話通信用アンテナ取付システム。
【請求項１５】
移動電話通信用アンテナ・マスト・システムであって、
ベースと、
少なくともひとつのマスト・コンポーネントと、
アンテナ取付システムと、
を含み、少なくともひとつのマスト・コンポーネントは、少なくともひとつのマスト・コンポーネントをベースに対してマスト主軸のまわりで予め定められた角度方位に整列させるように構成された整列手段を含み、
アンテナ取付システムは、アンテナ・マウントを少なくともひとつのマスト・コンポーネントに対してマスト主軸のまわりで予め定められた角度方位に整列させるように構成された整列手段を含み、
アンテナ・マスト・システムを組み立てたとき、アンテナ取付システムはベースに対して、基準点に対するベースの整列がアンテナ・マウントに移されるように予め定められた角度方位に整列されることを特徴とする移動電話通信用アンテナ・マスト・システム。
【請求項１６】
少なくともひとつの整列手段はマーカーを含むことを特徴とする請求項１５に記載の移動電話通信用アンテナ・マスト・システム。
【請求項１７】
ベース、少なくともひとつのマスト・コンポーネント、及びアンテナ・マウントはマスト主軸と直角方向に向いているフランジで接合されることを特徴とする請求項１５又は１６に記載の移動電話通信用アンテナ・マスト・システム。
【請求項１８】
フランジは円形の周縁を含むことを特徴とする請求項１７に記載の移動電話通信用アンテナ・マスト・システム。
【請求項１９】
少なくともひとつの整列手段はひとつ以上のフランジにおける径方向の切り欠きを含むことを特徴とする請求項１８に記載の移動電話通信用アンテナ・マスト・システム。
【請求項２０】
ひとつ以上のフランジが、システムの角度方位を調整するために取付手段を摺動可能に受容するスロットを含むことを特徴とする請求項１８又は１９に記載の移動電話通信用アンテナ・マスト・システム。
【請求項２１】
ベースが少なくともひとつのマスト・コンポーネントの取付のための取付形態を有するヒンジを含み、設置時にヒンジは少なくともひとつのマスト・コンポーネントを回転させてマスト主軸と直角方向の直立軸のまわりでベースに対して整列させるように操作できることを特徴とする請求項１５〜２０の何れか一項に記載の移動電話通信用アンテナ・マスト・システム。
【請求項２２】
アンテナ取付システムが関節ジョイントによって取付システムに取り付けられたアンテナ・ブラケットを含み、ジョイントは基準に対するアンテナ・ブラケットの位置を決定することを可能にする運動トランスジューサを含むことを特徴とする請求項１５〜２１の何れか一項に記載の移動電話通信用アンテナ・マスト・システム。
【請求項２３】
移動電話通信用アンテナ・マストを設置する方法であって、
ベースを用意するステップと、
少なくともひとつのマスト・コンポーネントを用意するステップと、
アンテナ・マウントを用意するステップと、
ベースを基準に対して整列させるステップと、
少なくともひとつのマスト・コンポーネントをベースに、ベースに対する予め定められた方位で組み立てるステップと、
アンテナ・マウントを少なくともひとつのマスト・コンポーネントに、少なくともひとつのマスト・コンポーネントに対する予め定められた方位で、アンテナ・マウントが基準に対して予め定められた方位に向くように組み立てるステップと、
を含む移動電話通信用アンテナ・マストを設置する方法。
【請求項２４】
さらに、ベースを基準に対して整列させるステップを含む請求項２３に記載の移動電話通信用アンテナ・マストを設置する方法。
【請求項２５】
コンパスを用意するステップと、
ベースをコンパスを用いて特定の方位に整列させるステップと、
を含む請求項２４に記載の移動電話通信用アンテナ・マストを設置する方法。
【請求項２６】
コンパスをベースに取り付けるステップと、
を含む請求項１８に記載の移動電話通信用アンテナ・マストを設置する方法。
【請求項２７】
移動電話通信用アンテナ・マストであって、
第一のアンテナ受容形態を含む第一のアンテナ取付構造と、
第二のアンテナ受容形態を含む第二のアンテナ取付構造と、
を含み、第一の取付構造と第二の取付構造は、使用時に垂直方向に間隔をあけるように配置され、第一及び第二のアンテナ受容形態は、第一及び第二のアンテナ受容形態の位置を独立に調整するために独立に操作できることを特徴とする移動電話通信用アンテナ・マスト。
【請求項２８】
第一のアンテナ取付構造は第一のアンテナ・タイプを受容するように構成され、第二のアンテナ取付構造は第二のアンテナ・タイプを受容するように構成されていることを特徴とする請求項２７に記載の移動電話通信用アンテナ・マスト。
【請求項２９】
第一のアンテナ・タイプは第一のアンテナ取付構造に取り付けられ、第二のアンテナ・タイプは第二のアンテナ取付構造に取り付けられることを特徴とする請求項２７に記載の移動電話通信用アンテナ・マスト。
【請求項３０】
第一のアンテナ・タイプは第一のサイズであり、第二のアンテナ・タイプは第二の、異なるサイズであることを特徴とする請求項２８又は２９に記載の移動電話通信用アンテナ・マスト。
【請求項３１】
第一のアンテナ・タイプは第一の電気的特性を有し、第二のアンテナ・タイプは第二の、異なる電気的特性を有することを特徴とする請求項２８〜３０の何れか一項に記載の移動電話通信用アンテナ・マスト。
【請求項３２】
アンテナ・マスト・システムであって、
ベースと、
複数のモジュール方式マスト・コンポーネントと、
アンテナ・マウントと、を備え、
複数のモジュール方式マスト・コンポーネントは異なるいろいろな形態で選択的に互いに固定できて設置者が選択する距離をベースとアンテナ・マウントの間に設けることができるアンテナ・マスト・システム。
【請求項３３】
ベースと結合できる第一の部分とモジュール方式マスト・コンポーネントと結合できる第二の部分を含むヒンジ機構を備え、第一及び第二の部分はジョイントで結合されてマスト・コンポーネントを第一の位置に組み立て、その後直立軸のまわりの回転によって直立させることができることを特徴とする請求項３２に記載のアンテナ・マスト・システム。
【請求項３４】
ジョイントは第一及び第二の部分から取り除くことができることを特徴とする請求項３３に記載のアンテナ・マスト・システム。
【請求項３５】
第一及び第二の部分が別のジョイントを画定してベースとマスト・コンポーネントの直立軸と直角方向の軸のまわりでの相対回転を可能にすることを特徴とする請求項３４に記載のアンテナ・マスト・システム。
【請求項３６】
第一及び第二の部分は近接した平行なプレートであり、プレート対の少なくとも一方における円弧スロット内でスライドできるピンによって結合されていることを特徴とする請求項３５に記載のアンテナ・マスト・システム。
【請求項３７】
第一及び第二の部分はロッキング機構によって相対運動ができないように固定されていることを特徴とする請求項３６に記載のアンテナ・マスト・システム。
【請求項３８】
アンテナ・マストを設置する方法であって、
ベースを用意するステップと、
アンテナ・マウントを用意するステップと、
複数のモジュール方式マスト・コンポーネントを用意するステップと、
複数からいくつかのモジュール方式マスト・コンポーネントを選択するステップと、
いくつかのモジュール方式マスト・コンポーネントをアンテナ・マウントとベースの間で互いに固定してその間に所望の距離を設けるステップと、
を含む方法。
【発明の詳細な説明】
【技術分野】
【０００１】
本発明はアンテナ・マスト・システム及びアンテナ取付装置に関する。詳しくは、本発明は移動電話通信アンテナの正確かつ柔軟な方位配置を可能にするアンテナ取付装置に関する。
【背景技術】
【０００２】
アンテナは電磁信号の送信と受信に用いられる。移動電話アンテナは当業者に一般的に公知である。例えば、特許文献１は３つのアンテナ・アセンブリであって個別に回転させて隣接するセルのカバー範囲を調整できるアセンブリを提案している。
【０００３】
公知のアンテナ及びアンテナ構造は、美観及び必要なスペースのためにできるだけコンパクトである必要がある。したがって、特許文献１に見られるように、アンテナは互いに接近して中心軸のまわりで等間隔に配置される。
【０００４】
そのようなアンテナ・アセンブリの欠点は、各アンテナの方位の調整が各方向（左又は右）に約１５度に制限されていることである。これはアンテナたちが近すぎるためである。すなわち、３つのアンテナが１２０度離れていると、２つの隣接するアンテナの間の方位角の範囲は９０度から１５０度の間（すなわち、アンテナ当たり１２０度プラス又はマイナス１５度）である。このため最新のネットワークで使用されるアンテナの能力が制限される。ほとんどすべての最新のネットワークはタンデムで動作し、しばしばもっと高い容量とデータ速度の要求に応えられるように拡張され、同時にカバー範囲の問題をなくし、干渉によって生ずるカバー範囲の制限を減らすようにしなければならない。さらに、隣接する２つのアンテナが同じ方向を指せることが望ましい。
【０００５】
移動電話のアンテナはマストに取り付けられることがあり、その場合、マストはマスト・メーカーが所望する位置に設置され、その後アンテナがマストに取り付けられ、所望の方向（すなわち、方位と傾き）に調整される。従来は、３つのアンテナが異なる方向を指すようにマストに取り付けられる。各アンテナの方位は、Katherein (TM) 方位調整器具など、枠に取り付けられた望遠鏡を用いて標的によって手動でアンテナを定位する器具を用いて手でセットされる。このためプロバイダの技能者がアンテナの場所で手動で操作することが必要である。
【０００６】
マストに取り付けられたアンテナの方向を定める方法はあまり正確でなく、相当な程度の誤差を生ずる。移動電話ネットワークにおける方位配置の不正確さは、結果的にセクタの過剰なオーバラップ（すなわち、隣接するアンテナ・カバー範囲の過剰なオーバラップ）、又は隣接するセクタの間のギャップを生ずる。どちらも、周波数利用効率、ネットワーク性能、及びアンテナ展開のコストという点で望ましくない。
【０００７】
必要とされているものは、設置されたアンテナの精度が高く、その場において手動で調整する必要がなく、将来の構成のためにアンテナ方位を正確に調整できるアンテナ・マスト取付システムである。
【０００８】
２つ以上のサービス・プロバイダ（例えば、携帯電話会社）が別のサービス・プロバイダとアンテナ・サイトを共有したいと思う場合、現在の技術はいくつかのソリューションを提供する。好ましいソリューションはアンテナ工学の範囲内でサイトを共有することができるようにすることである。これは、両方のプロバイダからの電磁信号の送信と受信が単一のアンテナから送ったり受けたりされるということを意味する。これは、あるプロバイダにとって有利であるアンテナの位置（方位と傾きの両方）が他方のプロバイダにとって不利になることがあるという欠点がある。したがって、通常のソリューションは両方のプロバイダに対して中間的な位置を採用することになるが、これはどちらにとっても最適でない。
【０００９】
同様に、あるサービス・プロバイダが一つの場所から２つの異なる無線アクセス・テクノロジー（RATs）で送信したいと思う場合、単一のアンテナでそれを送信することは最適なソリューションではない。これは、アンテナが単一の方位と傾斜を有するからである。したがって両方のRATsが非常に近いフットプリントを有することになる。この効果は、ネットワークの設計（dimensioning）、最適化、及び性能管理という点で深刻な問題を引き起こす。何故なら、例えば、時分割多重アクセス（TDMA）、広帯域符号分割多重アクセス（WCDMA）、及び直交周波数分割多重アクセス（OFDMA）などの異なるRATsは異なる無線伝播及びリソース管理特性を生ずるからである。さらに、共通のアンテナを使用することは、各RATにとって送信パワーの低下に直接つながり、セルのカバー範囲とハンドオーバ・エリアの縮小をもたらす。これは望ましくない。
【００１０】
方位を調整できる公知のアンテナ・マスト及び設置システムは一般に寸法（幅、奥行き、高さ）と電気的特性が固定された特定タイプのアンテナに限定されている。これはプロバイダがマスト及び設置システムと両立するアンテナを選ぶのに制約になる。プロバイダはその用途に最適なアンテナを選ぶことができないのでこれは望ましくない。
【００１１】
従来のアンテナ・マスト装置の別の欠点は、異なる場所（例えば、都市部、郊外、及び農村）に対して異なるマストを製造する必要があるということ、すなわち従来のマストは用途特異的であるということである。例えば、都市部の用途では、マストはビルのトップに設置されるので、所望するカバー範囲が５００ｍから３ｋｍである場合、高さが約８ｍしかなくてもよい。郊外での用途では、カバー範囲が２ｋｍから１０ｋｍでマストの高さは１８ｍに達し、ガイドワイヤ・マストが用いられる。考えられるアンテナの位置から設置面が遠く離れている用途（例えば、遠隔の、農村地域、設置面は地面であろう）では、非常に高いマストが必要になる。高さは５０ｍに達することがあり、カバー範囲は１０ｋｍから２０ｋｍである。
【先行技術文献】
【特許文献】
【００１２】
【特許文献１】米国特許第７０１５８７１号明細書
【発明の概要】
【発明が解決しようとする課題】
【００１３】
本発明の目的は、上述した欠点のひとつ以上を解消、又は少なくとも軽減することである。
【課題を解決するための手段】
【００１４】
本発明の第一の様態では、移動通信用のアンテナ取付装置であって、アンテナ・マウントと、このアンテナ・マウントに第一の軸のまわりで回動可能に取り付けられた中間部材と、第一の軸と実質的に平行な第二の軸のまわりで回動するように中間部材に回動可能に取り付けられたアンテナ・ブラケットを備えるアンテナ取付装置が提供される。
【００１５】
このような装置を提供することによって、アンテナの方向と位置を、ある与えられた空間包絡面内で２つのアンテナを同じ方向に向けることができるほど、より良く調整することが可能になる。
【００１６】
アンテナ取付装置は、中間部材をアンテナ・マウントに対して第一の軸のまわりで回動させるように構成された第一のアクチュエータと、アンテナを中間部材に対して第二の軸のまわりで回動させるように構成された第二のアクチュエータを備えることができる。
【００１７】
好ましくは、第一のアクチュエータは第一の軸に直角方向に向いた回転出力シャフトを備え、装置は回転出力シャフトと中間部材の間に回転出力シャフトから中間部材に駆動力を伝達するギアボックスを備える。
【００１８】
好ましくは、第二のアクチュエータは第二の軸に直角方向に向いた回転出力シャフトを備え、装置はこの回転出力シャフトとアンテナの間に回転出力シャフトからアンテナに駆動力を伝達するギアボックスを備える。
【００１９】
好ましくは、ギアボックスはウオームギアを備え、ウオームギアは回転出力シャフトに結合されて、中間部材及び／又はアンテナに結合された傘歯車を駆動する。ウオーム・ギアは容易に逆に駆動できないようになっていると有利である。
【００２０】
好ましくは、アクチュエータはステッピング・モータである。それによって、より正確なアンテナ位置を達成できる。好ましくは、ステッピング・モータは内蔵の光学的エンコーダを有する。
【００２１】
好ましくは、マストはアンテナ位置をモニターするための電気ポテンショメータを備える。
【００２２】
本発明の第二の様態では、移動電話通信用アンテナ・マスト・システムであって、ベースと、少なくともひとつのマスト・コンポーネントと、アンテナ取付システムとを備え、少なくともひとつのマスト・コンポーネントは、少なくともひとつのマスト・コンポーネントをベースに対してマスト主軸のまわりである所定の角度方位に整列させるように構成された整列手段を備え、アンテナ取付システムはアンテナ・マウントを少なくともひとつのマスト・コンポーネントに対してマスト主軸のまわりである所定の角度方位に整列させるように構成された整列手段を備え、アンテナ・マスト・システムを組み立てたときに、アンテナ取付システムがベースに対して所定の角度方位に整列され、ベースの基準点に対する整列がアンテナ・マウントに移されるようになっている通信アンテナ・マスト・システムが提供される。
【００２３】
本発明の第三の様態では、移動電話通信用アンテナ・マストを設置する方法であって、ベースを用意するステップと、少なくともひとつのマスト・コンポーネントを用意するステップと、アンテナ・マウントを用意するステップと、ベースを基準点に対して整列させるステップと、少なくともひとつのマスト・コンポーネントがベースに対して所定の方位になるようにベースに組み立てるステップと、アンテナ・マウントが少なくともひとつのマスト・コンポーネントに対して所定の方位になるように少なくともひとつのマスト・コンポーネントに組み立てて、アンテナ・マウントが基準点に対して所定の方位に向くようにするステップと、を含む方法が提供される。
【００２４】
基準（例えば、北）に対して整列させたベースに対してマストの各コンポーネントを整列させることによって、その後プロバイダは手動で校正する必要なくアンテナをマストに設置することができる。プロバイダはアンテナがどの方向に向いているかを正確に知ることになり、例えば第一の様態による設置システムを用いて所望の方向に適当に調整することができる。
【００２５】
本発明の第四の様態では、移動電話通信用アンテナ・マストであって、第一のアンテナ受容形態を含む第一のアンテナ取付構造と、第二のアンテナ受容形態を含む第二のアンテナ取付構造を備え、第一の取付構造と第二の取付構造は使用時には垂直方向に間隔をあけるように配置され、第一及び第二のアンテナ受容形態は独立に操作でき、、第一及び第二のアンテナ受容形態の位置を独立に調整できるアンテナ・マストが提供される。
【００２６】
二組のアンテナを用いて異なるタイプの信号並びに異なるプロバイダからの信号を同じ場所で送信及び受信でき、それらを独立に調整できることにより両方の信号タイプ及び／又はプロバイダに対して最適な方位をとることが可能になる。
【００２７】
本発明の第五の様態では、アンテナ・マスト・システムであって複数のモジュール方式のマスト・コンポーネントとアンテナ・マウントを備え、複数のモジュール方式のマスト・コンポーネントをいろいろな異なる形態で選択的に互いに固定してベースとアンテナ・マウントの間に設置者が選択する距離を設けることができるアンテナ・マスト・システムが提供される。
【００２８】
本発明の第六の様態では、アンテナ・マストを設置する方法であって、ベースを用意するステップと、アンテナ・マウントを用意するステップと、複数のモジュール方式のマスト・コンポーネントを用意するステップと、複数のものからいくつかのモジュール方式のマスト・コンポーネントを選択するステップと、及びいくつかのモジュール方式のマスト・コンポーネントをアンテナ・マウントとベースの間で互いに固定させて所望の距離をその間に設けるステップと、を含む方法が提供される。
【００２９】
第一及び第二の固定部材は手で動かすことができる。
【００３０】
複数の第一の様態によるアンテナ取付装置が取り付けられた中央アンテナ・マウントを有するアンテナ・アセンブリも提供される。好ましくは３つの第一の様態によるアンテナ取付装置がそれに取り付けられている。
【００３１】
有利な形として、マスト・ボディに相補的な取付形態を設けることは、２つ以上のマスト・ボディをモジュール方式で積み重ねて必要なマスト高さを確保できることを意味する。与えられた設置要件に対して、マストをその要件を満たすように調整できる。設置者は３つのタイプのパーツをストックしておけばよく、設置要件によって用いるマスト・ボディの数が決まる。
【００３２】
第一及び第二のアタッチメント形態は異なっていてもよい。あるいはまた、第一及び第二のアタッチメント形態は同じであってもよい。
【００３３】
第一のアタッチメント形態は第二のアタッチメント形態を受容できるように形成することができる。
【００３４】
好ましくは、ベースは表面接触面とマスト・マウントを画定するベース・ボディを含み、第一のアタッチメント形態はマスト・マウントに係合するように形成され、マスト・マウントはマスト・ボディを収容位置と表面接触面と実質的に垂直な直立位置の間で回転させるようにベース・ボディに回動可能に取り付けられる。このようにして、マストの直立は容易になる。
【００３５】
好ましくは、マスト・ボディはトラス枠組みによって結合された第一のフランジと第二のフランジを備え、第一のアタッチメント形態は第一のフランジ上に画定され、第二のアタッチメント形態は第二のフランジ上に画定される。
【００３６】
本発明によるアンテナ・マストとマウントの一例を添付図面にしたがって説明する。
【図面の簡単な説明】
【００３７】
【図１】本発明に係わるアンテナ・マストと取付装置を示す側面図である。
【図２】図１のアンテナ・マストと取付装置を示す斜視図である。
【図３】図１のアンテナ・マストと取付装置を示す斜視図である。
【図４】追加のコンポーネントが示されている、図１のアンテナ・マストと取付装置を示す斜視図である。
【図５】図１のアンテナ・マストと取付装置の一部を示す斜視図である。
【図６】図１のアンテナ・マストと取付装置を示す平面図である。
【図７】図１のアンテナ・マストと取付装置の組立の第一段階を示す斜視図である。
【図８ａ】図１のアンテナ・マストと取付装置の一部を示す分解斜視図である。
【図８ｂ】図３の部分の別の配置を示す分解斜視図である。
【図９ａ】図１のアンテナ・マストと取付装置を組立位置で示す側面図である。
【図９ｂ】図１のアンテナ・マストと取付装置を中間位置で示す側面図である。
【図９ｃ】図１のアンテナ・マストと取付装置を直立位置で示す側面図である。
【図１０】図１のアンテナ・マストと取付装置の一部を直立位置で示す詳細図である。
【図１１】図１のアンテナ・マストと取付装置の一部を、いくつかのコンポーネントが除去される過程で示す詳細図である。
【図１２ａ】図１のアンテナ・マストと取付装置を第一の形態で示す平面図である。
【図１２ｂ】図１のアンテナ・マストと取付装置を第二の形態で示す平面図である。
【図１３ａ−ｊ】図１のアンテナ・マストと取付装置を、図１２ａの第一の状態から図１２ｂの第二の状態の間のいろいろな過渡的段階で示す平面図である。
【図１４】本発明に係わる第二のアンテナ・マストと取付装置を示す側面図である。
【図１５ａ】別のアンテナ作動システムを示す斜視図である。
【図１５ｂ】図１５ａのシステムを示す詳細図である。
【図１６ａ】本発明に係わるマストを担持する車両を示す側方断面図である。
【図１６ｂ】収納した状態で本発明に係わるマストを担持する車両を示す側方断面図である。
【図１７】本発明に係わる別のアンテナ取付システムを示す切り欠き斜視図である。
【図１８ａ】本発明に係わる別の調整可能なアンテナ取付システムを示す側面図である。
【図１８ｂ】図１８ａの別の調整可能なアンテナ取付システムを示す詳細図である。
【図１８ｃ】図１８ｂの別の調整可能なアンテナ取付システムを示す詳細斜視図である。
【図１９ａ】本発明に係わる別の傾斜可能なアンテナ取付システムを示す側面図である。
【図１９ｂ】図１９ａの別の傾斜可能なアンテナ取付システムの一部を示す詳細図である。
【図１９ｃ】図１９ａの別の傾斜可能なアンテナ取付システムの一部を示す詳細図である。
【図１９ｄ】傾斜した状態での図１９ｃと同様な図である。
【図１９ｅ】傾斜した状態での図１９ａの別の傾斜可能なアンテナ取付システムを示す側面図である。
【図２０】アンテナを設置していない状態での別のアンテナ取付システムを示す側面図である。
【図２１】別のマスト・アセンブリを示す斜視図である。
【発明を実施するための形態】
【００３８】
図１から６までに示されるように、アンテナとマスト・アセンブリ１００が提供される。アセンブリは、ベース１０２と、マスト・ボディ１０４と、アンテナ・アセンブリ１０６を含む。
【００３９】
ベース１０２は、一般に中心軸Ｐのまわりで回転対称である。ベース１０２は、表面取付フランジ１０８を含み、それは実質的に円環状であり、いくつかの強化リブ１１０がその中心に延びている。表面取付フランジは取付表面に取り付けるための複数の孔又は好ましくはスロット１１３を有する。トップ・フランジ１１２が設けられ、これも円環状で強化リブ１１４を含む。トップ・フランジ１１２は表面取付フランジ１０８から外れており、フランジ１０８，１１２の周縁のまわりに位置する複数の等間隔のポスト１１６によって支持されている。トップ・フランジ１１２はいくつかのの穴（見えない）を画定し、ボルトをそれに通すことができる。
【００４０】
マスト・ボディ１０４は第一のフランジ１１８とそれから外れた第二のフランジ１２０を含む。第一のフランジは、いくつかの等間隔の円弧スロット１２１を画定し、それはボルトのシャフトを受容できるだけ十分に広くなっている。各フランジ１１８，１２０は円環状であり、それぞれいくつかの強化リブ１２２，１２４を含む。トラス構造１２６がフランジ１１８とフランジ１２０を結合して両者の間に一定の平行な距離を保つ。トラス構造１２６は、三本の直立部１２８が長さ方向の中央部分で３つの水平部材１３０によって接合されている。クロス・ブレース１３２が直立部の全長にわたって延びている。トラス構造１２６の三角形断面の形は座屈に対する抵抗を保証している。
【００４１】
アンテナ・アセンブリ１０６は、フランジ１３６と、そこから直角方向に突出する直立部１３８を含むアンテナ取付構造１３４を備える。フランジ１３６は、図２に示されるように周縁の所定位置にあるインジケータ５０６を画定している。インジケータ５０６はフランジ１３６における径方向の切り欠きという形をしている。直立部１３８は周方向で４つが等間隔に配置され、溶接されたコーナーピース１４０によってその位置でフランジ１３６に結合されている。
【００４２】
アンテナ・アセンブリ１０６はさらに、以下で述べるように直立部１３８に取り付けられるアンテナ・アレー１４２を含む。
【００４３】
直立部１３８は一対の取付ブラケット１５０，１５２を備え、それらは主軸方向に間隔をあけて配置されている。各取付ブラケット１５０，１５２は直立部１３８を囲んで取り付けられたカラー１５４を含む。各取付ブラケット１５０，１５２は、互いに１２０度の角度で突出する３つの等間隔で配置されたラグ（lug）１５４を含む。各ラグ１５４は、以下で説明するように貫通穴１５６を含む。
【００４４】
図２を参照すると、アンテナ・アレー１４２は第一のアンテナ・アセンブリ１４４，第二のアンテナ・アセンブリ１４６，及び第三のアンテナ・アセンブリ１４８を含む。各アンテナ・アセンブリ１４４，１４６，１４８は直立部１３８の周方向で等間隔に配置され、１２０度離れたデフォルト位置にある。すなわち、この好ましい実施形態では、中心軸に対するアンテナのデフォルト位置は６０，１８０，及び３００度である。６０度の位置はインジケータ５０６から６０度の位置に合致する。
【００４５】
アンテナ・アセンブリ１４４，１４６，１４８は実質的に同一であり、したがって、ここではアンテナ・アセンブリ１４４だけを詳しく説明する。
【００４６】
第一のアンテナ・アセンブリ１４４はラグ１５４に回動可能に取り付けられて第一の回動軸１６０のまわりに回動する中間部材１５８を含む。第一のアンテナ・アセンブリ１４４はまた、アンテナ・ブラケット１５９によって中間部材１５８に回動可能に取り付けられて第一の軸１６０と平行な第二の軸１６４のまわりで回動するアンテナ１６２を含む。
【００４７】
第一のアンテナ・アセンブリ１４４はさらに、第一の駆動アセンブリ１６６と第二の駆動アセンブリ１６８を含む。第一の駆動アセンブリ１６６はステッピング・モータ１７０を含み、その回転出力シャフト１７２がそこから延びている。ステッピング・モータ１７０は、例えば、Nanotec (TM)高トルク・ステッピング・モータである。ステッピング・モータ１７０は、出力シャフト１７２の回転軸が第一の回動軸１６０に対して直角になるようにＬ字型ブラケット１７４によってラグ１５４に取り付けられている。
【００４８】
ギアボックス１７６が出力シャフト１７２に結合され、中間部材１５８に固定された入力シャフト１７８を駆動する。ギアボックス１７６はウオーム駆動ギアボックスであり、出力シャフト１７２に取り付けられたウオームギアと、ウオームギアと係合し入力シャフト１７８に取り付けられた傘歯車を含むことが理解されるであろう。したがって、ステッピング・モータ１７０によって中間部材１５８を駆動して第一の回動軸のまわりに回転させることができる。有利な形としては、ウオームギアボックスは容易に逆に駆動できないようになっている。
【００４９】
ウオーム・ギアボックスは、減速比が典型的には60:1のオーダーである。これによってアンテナの非常に正確な調整が、特に内蔵された減速比が100:1のステッピング・モータと組み合わせて可能になる。
【００５０】
第二の駆動アセンブリ１６８は第一の駆動アセンブリ１６６と実質的に同様である。しかし、アンテナ１６２を中間部材１５８に対して第二の軸１６４のまわりに回転駆動するように配置されている。
【００５１】
ステッピング・モータ１７０は設定された刻み（increment）で、例えば、１度刻みで調整を行うように配置される。
【００５２】
図４を参照すると、ベースとマストのケーシング１８０をベースとマストの上に配置してそれらの外見をぼかし、その中に配置された電気設備１８２（図３を見よ）を保護することができる。アンテナ・アセンブリ１４４，１４６，１４８の上に円筒状のレードーム１８４をかぶせて雨や風から保護することができる。
【００５３】
アンテナとマストのアセンブリは次のように組み立てて設置される。
【００５４】
製造時、マストを直立させる前に、アンテナ・アセンブリ１０６が（アンテナなしで）予備構成される。アセンブリ１０６は、ブラケット１５９がそれぞれインジケータ５０６に対して６０，１８０，及び３００度の方向に向くように整列される。
【００５５】
図７に示されるように、ベース１０２が建物の屋根やその他の構造などの表面１０に固定具１１を用いて取り付けられる。固定具１１は丈夫なアンカーである。ベース１０２を表面１０に取り付けるさい、ベース１０２にアダプタ１２が取り付けられる。アダプタはベース取付部分１３と、コンパス取付部分１４と、その間の垂直ポスト１５を含む。
【００５６】
精度が少なくとも＋／− ０．５の高精密コンパス１６（Honeywell（TM）製ミューポイント、ジャイロ安定化ディジタル指示磁気コンパス、など）がコンパス取付部分１４に取り付けられる。アダプタ１２は、コンパスが上方フランジ１１２に径方向に切り込まれた切り欠きの形のインジケータ１０３と整列するように構成される。コンパス１６はベース１０２の中心軸Ｐからある径方向距離に設置されることに注意する。
【００５７】
軸Ｐのまわりにベース１０２を回してインジケータ１０３が北（矢印Ｎ）に向けられるようにする。固定具１１を部分的に取り付けて、スロット１１３内でそれが動くことができるようにし、整列の微調整を行ってから最終的に締めるようにすることができることに注意しよう。
【００５８】
正しい方位が達成されたら、アダプタ１２が除去される。したがって、ベース１０２はこれで正確に基準（すなわち、北）に整列する。
【００５９】
マスト・ボディ１０４が所望の高さに組み立てられる。このためにはひとつ以上のトラス構造１２６を第一及び第二のフランジ１１８，１２０に取り付ける必要がある。図８Ａを参照すると、これはそれぞれフランジ１１８，１２０から突出するアングル部分１１９，１２３によって達成される。アングル部分１１９，１２３は直立部１２８と係合し、そこにボルトで留められてフランジ１１８，１２０を固定する。
【００６０】
その構造によって、２つ（以上）のトラス構造３２６を図８ｂに示されるように組み立てて高いマスト・ボディ３０４を作ることができる。トラス構造はアングル部分ピース３０６を用いてそれをトラス構造の直立部３２８にそれぞれボルト留めすることで互いに固定される。
【００６１】
各フランジ１１８，１２０はそれぞれ周縁エッジの所定箇所に配置されるインジケータ５００，５０２を含む。インジケータ５００，５０２は径方向の切り欠きである。以下で説明する理由により、インジケータ５００，５０２を同じ周縁箇所に合わせることが非常に重要である。
【００６２】
アンテナ・アセンブリ１０６のフランジ１３６はマスト・ボディ１０４のフランジ１２０に、それぞれのインジケータが整列するように取り付けられる。
【００６３】
ベース１０２マスト・ボディ１０４のトップ・フランジ１１２は、直立軸Ｔのまわりで回動するようにマスト・ボディ１０４の第一のフランジ１１８にヒンジ１８６（図１０を見よ）によって組み立てられる。図７と１０に示されるように、フランジ１１２、１１８のインジケータ１０３，５００はそれぞれヒンジ１８６の反対側に（すなわち１８０度のところに）位置する。
【００６４】
マスト・ボディ１０４とアンテナ・アセンブリ１０６を、直立軸Ｔのまわりで図８ｂに示される中間位置を通って図８ｃに示される直立位置まで回転させると、その位置でマスト・ボディ１０４は地面に対して直角になり、トップ・フランジ１１２と第一のフランジ１１８は図９によって接触する。
【００６５】
マスト・ボディ１０４がこの位置になったら、ボルト１８７を用いてフランジ１１２、１１８を互いに固定し、図１１に示すようにヒンジ１８６を除去する。
【００６６】
組み立てられた最終状態で、６０度ブラケット１５９は、インジケータ５０６から６０度の位置になっているので、インジケータ５０２，５００及び１０３からも６０度の位置になっていることに注意する。インジケータ１０３は北に合っているので、６０度ブラケット１５９は北に対して６０度を指す。
【００６７】
使用時、マスト・アセンブリ１００はアンテナ１６２なしで用意されて設置される。マストの直立のとき、及びアンテナ・アセンブリ１０６の予備組立のさいの前述のような正確な整列により、サービス・プロバイダはアンテナの方位角を手動で合わせる必要、又は、測定する必要はない。整列状態は、北に対して６０，１８０，及び３００度にあることが知られており、前述のような制御システムを用いてアンテナを必要に応じた方位にすることができる。
【００６８】
図１２ａと１２ｂを参照すると、図１１ａは各アンテナが１２０度離れているデフォルト位置又は公称位置にあるアンテナ・アセンブリ１４４，１４６，１４８を示している。図１２ｂを参照すると、アンテナ・アセンブリ１４６，１４８のアンテナは回動軸１６０と回動軸１６４の両方のまわりで回転されてアンテナが実質的に同じ方向を指すようになっている。これは図１３ａから１３ｊまでに示されるような２つの軸１６０，１６４のまわりでの一連の動きで達成される。特に、この動きを容易にするために、中間部材１５８が互いの方へほぼ１８度動いていること（すなわち、それぞれ９度の動き）が見られる。
【００６９】
使用時に各アンテナの位置を評価するために光学的エンコーダ（図示せず）が用意される。光学的エンコーダは、制御システムを介してステッピング・モータ１７０に結合されて正確な位置制御を可能にする。現在知られている光学的エンコーダの精度は0.002度より小さい。したがって、マスト・システムは北に対して（ここで説明したようなセットアップ手順を用いて）正確に方位が定められるので、プロバイダはアンテナを所望する方位に容易に向けることができる。
【００７０】
アンテナの位置を制御するために用いられる制御システムが設けられる。制御システムはコンピュータに基づくシステムであり、制御ソフトウエアはコンピュータのメモリーに格納され、コンピュータはプロセッサ、モータ１７０への出力、及び光学的エンコーダからの入力を有する。遠隔ユーザーは、アンテナの初期角度（６０，１８０，３００度）に対する所望の方位角を入力する。するとコンピュータがステッピング・モータ１７０にその方位角の方へ動かすように出力信号を送る。コンピュータはアンテナの動きを光学的エンコーダからのデータを用いてモニターしてエンコーダの真の位置を決定する。したがって、制御システムはフィードバック・ループを用いてアンテナを所望の位置に調整する。
【００７１】
（図示のような）３アンテナ配置において、どれか２つのアンテナが同じ方向を向くことが可能であるためには、それらの全運動範囲が１２０度でなければならない。詳しくいうと、図１３ｊに示されるように、各アンテナは他のアンテナの方へ６０度動く。この動きは、中間部材１５８に対するアンテナの軸１６４のまわりの５１度の回転の動きと、直立部１３８に対する中間部材１３８の軸１６０のまわりの９度の回転の動きを含む。この動きは、軸１６０，１６４のまわりで２つの反対の方向に可能であること、したがって各アンテナはそのデフォルト位置のまわりで１２０度動くことができることに注意する。
【００７２】
一方の軸での９度の動きと他方の軸での５１度の動きは、予め定められた最大の幅と奥行きを有する寸法に対して計算されたものである。このことは、２つのアンテナが同じ方向を向いたときに（すなわち、あるアンテナは＋６０度、他のアンテナは−６０度にあるとき）、アンテナが決して衝突しないということを意味する。具体的にいうと、これらの角度は２７０ｍｍ以下の幅と１２０ｍｍ以下の奥行きを許容する。
【００７３】
アンテナ・アセンブリ１４４，１４６，１４８が取り付けられる中心のポール、又は直立部１３８は、それが担持しようとする重量荷重についての静的な研究によって予め定められた直径を有する。重いアンアテナは軽いアンテナに必要な直径よりも大きな直径のポールを必要とするであろう。普通、ポールはアルミニウム製である。
【００７４】
これらの角度の他の組合せも（どちらの方向でも全回転が６０度になるとして）可能であると考えられる。１５−４５という分割は、１７０ｍｍ以下の幅と８５ｍｍ以下の奥行きを許容するのに適当である。
【００７５】
ラドームまでの許容最小距離も考慮しなければならない。
【００７６】
このように、本発明は２つのアンテナを同じ方向に向けることができるコンパクトなアンテナ・アセンブリ１０６を可能にする。
【００７７】
図１４を参照すると、複数の同一なマスト・ボディ１０４を相補的な組合せ形態によって互いに取り付けることができる別のアンテナ・アセンブリ２００が示されている。アンテナ・アセンブリ１０６は一番上に配置される。マストを固定して保持し地面の支持部材２０４に取り付けるために複数のガイドワイヤが用いられる。
【００７８】
図１５を参照すると、上述の実施形態で説明した電子的な作動の代わりに、中間部材４５８に対するアンテナ４４４の回転位置が手動で設定される。ラグ１５４に対する中間部材４５８の位置も手動で設定される。ハンドル４９０，４９１を締めたりゆるめたりしてアンテナ４４４と中間部材４５８の手動による回転を可能にする。
【００７９】
例えば、Vishay (TM)製のSingle Turn Wirewound Bushing Typeポテンショメータなどの電気ポテンショメータを用いてディスプレーに接続されたコンピュータにフィードバックを供給し、ユーザーが元の位置（すなわち、６０，１８０，３００度）に対する所望位置に到達したことを判定できるようにする。あるいはまた、電気ポテンショメータからの出力を遠隔モニターして技能員に遠隔指示を与えることもできる。
【００８０】
一方の軸には手動システムを用い、他方の軸は自動化されたシステムを用いることもできることに注意しよう。この場合、システムの手動部分の電気ポテンショメータからの出力が自動化された部分の制御システムに入力され、基準点に対するアンテナの絶対位置はやはり制御システムに知られる。別の形では、ステッピング・モータなどの電気モータを用いて軸１６０と１６４の一方又は両方のまわりで回転位置の初期の粗い設定又は回転位置の最終微調整を行う。ある好ましい形態では、各軸のまわりの動きを制御システムにフィードバックして電気駆動モータのいずれの方向の回転も制御できるようにするスイッチなど、電気コントロールを用いて電子的に遂行される。あるいはまた、制御システムがコンピュータを備える場合、回転制御はグラフィック・ユーザー・インターフェースによってディスプレー上で行われ、ユーザーは適当なモータを選んでフィードバック信号によって回転を調整できる。
【００８１】
マスト・ボディの各フランジ１１８，１２０に異なる組合せ形態を設けることもできる。こうしてもそれらを連結することができる。
【００８２】
あるいはまた、上記の必要な機能を与えるために中心軸のまわりに異なる数のアンテナ・アセンブリを設けることもできる。
【００８３】
アンテナに動きの自由度をさらに与えるように別のリンクを設けることもできる。例えば、中間部材とアンテナの間にさらに別の中間部材を設けることもできる。
【００８４】
アンテナを車両の中に設置し、ヒンジ機構をマストの途中に配置して、図１６とａと１６ｂに示されるように、展開することも輸送のために収納することも可能になるようにできる。
【００８５】
図１７を参照すると、別のアンテナ・アセンブリ６００が示されている。アンテナ・アセンブリ６００は、フランジ６０４とそこから直角方向に突出する直立部６０６を含むアンテナ取付構造６０２を備える。フランジ６０６は、周縁の所定位置にあるインジケータ６０８を画定している。インジケータ６０８はフランジ６０４における径方向の切り欠きという形をしている。直立部６０６はフランジ６０４に周縁で等間隔に配置され、溶接で固定された４つのコーナーピース６１０によって結合される。
【００８６】
アンテナ・アセンブリ６００はさらに、直立部６０６に取り付けられた第一のアンテナ・アレー６１２と第二のアンテナ・アレー６１４を含む。
【００８７】
各アレー６１２，６１４はアレー１４２と同様であり、したがって詳しくは説明しない。アレー６１２，６１４は独立に操作できることに注意しよう。したがって、アレー６１２のアンテナは独立にアレー６１４に向けることができる。このようにして、各アレーを用いて異なるプロバイダ又は異なるデータ信号タイプをカバーすることができ、複雑な施設共有技法の必要もなく、理想的なアンテナ位置に関して妥協する必要もない。
【００８８】
図１８ａから１８ｃまでを参照すると、別のアンテナ・アセンブリ７００が示されている。アンテナ・アセンブリ７００は、フランジ７０４とそこから直角方向に突出する直立部７０６を含むアンテナ取付構造７０２を備える。直立部７０６は周縁で等間隔に配置され、溶接で固定された４つのコーナーピース７１０によってフランジ７０４に結合されている。
【００８９】
アンテナ・アセンブリ７００はアンテナ・アセンブリ１０６と同様である。２つの取付ブラケット７１２，７１４が設けられ、それらは長手軸７１８に沿って垂直方向に間隔をあけている。ブラケット７１４は直立部７０６に固定されているが、ブラケット７１２は軸７１８に沿った直立部７０６に沿ってスライドできる。
【００９０】
アンテナ・アセンブリ１０６と同様、各ブラケット７１２，７１４は３つのラグ７２０を備え、それぞれに中間部材７２２が回動可能に取り付けられている。アンテナ取付フランジ７２４は各中間部材７２２に回動可能に取り付けられている。
【００９１】
したがって、取付ブラケット７１２は直立部７０６で上下に動いて異なる長さのアンテナに対応することができる。
【００９２】
ブラケット７１２，７１４の角度整列を維持するために、整列スライド・レール７２６が設けられ、それがブラケット７１２，７１４の間に延びている。各整列スライド・レール７２６は中間部材７２２を通って軸７１８と平行に延びている。各中間部材７２２は、ブラケット７１２をブラケット７１４の方へ及びブラケット７１４の方から動かすにつれて、関連スライド・レールに沿ってスライドすることができる。スライド・レール７２６は主軸７１８（ブラケット７１２，７１４の回転軸）から間隔があいているので、ブラケット７１２，７１４の角度整列が維持される。グラブねじ７２８が中間部材から延びているラグ７２０を通って、ブラケット７０２が所望の位置になったときに固定する。
【００９３】
図１９ａから１９ｃまでに眼を向けると、別のアンテナ・アセンブリ８００が示されている。アンテナ・アセンブリ８００は、フランジ８０４とそこから直角方向に突出する直立部８０６を含むアンテナ取付構造８０２を備える。直立部８０６は周縁で等間隔に配置され、溶接で固定された４つのコーナーピース８１０によってフランジ８０４に結合されている。
【００９４】
アンテナ・アセンブリ８００はアンテナ・アセンブリ１０６と同様である。２つの取付ブラケット８１２，８１４が設けられ、それらは長手軸７１８に沿って垂直方向に間隔をあけている。
【００９５】
アンテナ・アセンブリ１０６と同様、各ブラケット８１２，８１４は３つのラグ８２０を備え、それぞれに中間部材８２２が回動可能に取り付けられている。アンテナ取付コンポーネント８２４が各中間部材８２２に回動可能に取り付けられている。３つのアンテナ８２５が各端でアンテナ取付コンポーネント８２４に結合されている。
【００９６】
第一のブラケット８１２の中間部材８２２に取り付けられたアンテナ取付コンポーネント８２４は第二のブラケット８１４の中間部材８２２に取り付けられたものとは異なる。下方のアンテナ取付コンポーネント８２４はボールジョイント８２６を含み、それによってアンテナ取付フランジ８２８がアンテナの主軸と直角方向の（そして図１９ｄのページと直角方向の）軸８３０のまわりで回動できるようになる。
【００９７】
したがって、図１９ｃに示されるように、ブラケット８１４の近くで長いアンテナ取付コンポーネント８２４を用いてアンテナ８２５に下向きの傾斜を与えることができる。
【００９８】
例えば、リニアーアクチュエータを用いて、上方のアンテナ取付コンポーネント８２４の代わりに自動的な傾斜の制御を可能にすることも本発明の範囲内にある。
【００９９】
図２０を参照すると、別のアンテナ・アセンブリ９００が示されている。２つの取付ブラケット９１２，９１４が設けられ、それらは長手軸９１８に沿って垂直方向に間隔をあけている。
【０１００】
アンテナ・アセンブリ１０６と同様、各ブラケット９１２，９１４は３つのラグ９２０を備え、それぞれに中間部材９２２が回動可能に取り付けられて第一の軸９２３のまわりで回動するようになっている。アンテナ取付コンポーネント９２４が各中間部材９２２に回動可能に取り付けられて第二の平行な軸９２５のまわりで回動するようになっている。アンテナ取付コンポーネント９２４はアンテナを受容するように構成されている。
【０１０１】
中間部材９２２の各端に安定性レール９２７が取り付けられている。レール９２７は中間部材の間での安定性を高め、トルクを下方中間部材９２２に伝える荷重経路として働く。
【０１０２】
また、６つのアクチュエータ９３０の組が垂直に向いており、したがって駆動力を中間部材９２２及びアンテナ取付コンポーネント９２４に伝達するウオームギアは必要とされない。
【０１０３】
ベース１０２にアンテナ及び／又はアクチュエータのための動力源を設けることができる。これは光電池、バッテリー、風力タービン、などの形をとることができる。図２１を参照すると、マスト・アセンブリ１００と同様なマスト・アセンブリ１００を含むマスト・アセンブリ１０００が設けられているが、ベース１００２はかなり大きな表面積の広いベースプレート１００４を含む。したがって、ベースプレート１００４は安定性を高め、ベース１００２を地面に取り付ける固定具を必要としない。
【０１０４】
ベースプレート１００４は油圧ヒンジ１００６を備え、それによってマスト、並びにマスト・システムに電力を供給するためのエネルギーの捕集と貯蔵のための一連の電池に接続された光起電力ソーラーパネル１００８を上げたり下げたりすることができる。
【図１】
2013507806.tif 000003
【図２】
2013507806.tif 000004
【図３】
2013507806.tif 000005
【図４】
2013507806.tif 000006
【図５】
2013507806.tif 000007
【図６】
2013507806.tif 000008
【図７】
2013507806.tif 000009
【図８ａ】
2013507806.tif 000010
【図８ｂ】
2013507806.tif 000011
【図９ａ】
2013507806.tif 000012
【図９ｂ】
2013507806.tif 000013
【図９ｃ】
2013507806.tif 000014
【図１０】
2013507806.tif 000015
【図１１】
2013507806.tif 000016
【図１２ａ】
2013507806.tif 000017
【図１２ｂ】
2013507806.tif 000018
【図１３ａ】
2013507806.tif 000019
【図１３ｂ】
2013507806.tif 000020
【図１３ｃ】
2013507806.tif 000021
【図１３ｄ】
2013507806.tif 000022
【図１３ｅ】
2013507806.tif 000023
【図１３ｆ】
2013507806.tif 000024
【図１３ｇ】
2013507806.tif 000025
【図１３ｈ】
2013507806.tif 000026
【図１３ｉ】
2013507806.tif 000027
【図１３ｊ】
2013507806.tif 000028
【図１４】
2013507806.tif 000029
【図１５ａ】
2013507806.tif 000030
【図１５ｂ】
2013507806.tif 000031
【図１６ａ】
2013507806.tif 000032
【図１６ｂ】
2013507806.tif 000033
【図１７】
2013507806.tif 000034
【図１８ａ】
2013507806.tif 000035
【図１８ｂ】
2013507806.tif 000036
【図１８ｃ】
2013507806.tif 000037
【図１９ａ】
2013507806.tif 000038
【図１９ｂ】
2013507806.tif 000039
【図１９ｃ】
2013507806.tif 000040
【図１９ｄ】
2013507806.tif 000041
【図１９ｅ】
2013507806.tif 000042
【図２０】
2013507806.tif 000043
【図２１】
2013507806.tif 000044
【国際調査報告】
2013507806.tif 000045
2013507806.tif 000046
2013507806.tif 000047
2013507806.tif 000048
2013507806.tif 000049